(57)【要約】【課題】      芝生栽培用フィルムの排水孔に問題があり、排水が円滑になされず、又、用土層の流出もあり芝生の成長に問題がある。【解決手段】  本発明は、カーペット型の芝生栽培用フィルムに関し、合成樹脂からなり、フィルム全体面積に対して２％乃至２０％の面積を占める複数の排水孔が互いに所定の間隔を置いて版面に貫通していることを特徴とする。これにより、排水が円滑に行われ、用土層の流失が減少し、芝生の根が排水孔を通して地盤の土壌に着根し、土壌の栄養分が芝生に供給され、芝生の成長が効率よく行われるカーペット型の芝生栽培用フィルムが提供できる。
2006503593.tif 000002
【特許請求の範囲】
【請求項１】
カーペット型の芝生栽培用フィルムにおいて、合成樹脂からなり、フィルム全体面積に対して２％乃至２０％の面積を占める複数の排水孔が互いに所定の間隔を置いて版面に穿孔されていることを特徴とするカーペット型の芝生栽培用フィルム。
【請求項２】
前記排水孔は、直径が５mm乃至１５mmであることを特徴とする請求項１に記載のカーペット型の芝生栽培用フィルム。
【請求項３】
前記排水孔は、中心間の距離が互いに３０mm乃至４０mmであることを特徴とする請求項１または２に記載のカーペット型の芝生栽培用フィルム。
【発明の詳細な説明】
【技術分野】
【０００１】
本発明は、カーペット型の芝生栽培用フィルムに関する。
【背景技術】
【０００２】
近来は、サッカー場及び野球場などの運動場やゴルフ場、高級住宅の庭園などに芝生を作るとき、農場で予め栽培されたカーペット型の芝生を用いて、短時間で所望するところに芝生を作る方法が脚光を浴びている。
このようなカーペット型の芝生の栽培方法を簡単に説明すると、先ず、複数の排水孔が設けられている所定の面積の芝生栽培用フィルムを平坦な地面に敷き、フィルムの上部面の全領域に均一な厚さで用土を敷いて撒布した後、芝生の種を播種し、肥料や用水を供給して芝生を栽培する過程からなっている。
【０００３】
このとき、用土は、栽培される芝生の下葉と根との互いの絡まりにより、フィルムの上部に固定された用土層からなり、用土層と用土層とに固定された芝生層は、フィルムによって地面から分離される。これにより、フィルムの上部の用土層と用土層とに固定されて完全に生育した芝生層がフィルムによって地面から分離されることにより、所定の面積のカーペット型の芝生として製品化する。
そして、製品化したカーペット型の芝生は、運動場やゴルフ場、庭園などの必要な場所に運搬され、該当の場所に敷くだけで、所望の場所に容易に芝生を作ることができる。
【０００４】
一方、カーペット型の芝生を栽培するときに使用される芝生栽培用フィルム１０１は、図１に示すように、長手方向及び幅方向の全領域にわたって複数の排水孔１１０が設けられた不透明な合成樹脂フィルムを使用する。
この芝生栽培用フィルム１０１は、不透明な合成樹脂を用いることにより、太陽光が既存の土壌に根付いた雑草などに伝達されないようにし、雑草などの生長を根本的に抑える。そして、この芝生栽培用フィルム１０１に設けられる排水孔１１０は、芝生の根が通過できない程度の大きさで穿孔される。これにより、芝生の根が土壌に着根することが防止されると共に、降雨や潅水の際に過剰供給された水分が排水孔を通して地盤土壌に排水されることにより、芝生の健康な生育を図り、成長した芝生層を用土層と共に地面から容易に分離することができる。
ところで、このようなカーペット型の芝生栽培用フィルムを使用するときには、フィルムの排水孔を通して芝生の根が既存の土壌に着根することを防止するために、排水孔の大きさ(直径約１ｍｍ程度)を小さく形成しているため、用水を供給するときや降雨時に排水孔を通した排水が円滑に行われないという問題点があった。
特に、芝生の播種初期に豪雨が降ると、過剰供給された過剰供給された水分がフィルム上に溜まることになり、用土層が容易に流失してしまうという問題点があった。
また、芝生の根が既存の土壌に全く着根することができず、地盤土壌の水分や栄養分が芝生の根に全く吸収されない。これにより、用水供給が不足すると、旱魃被害を受けやすくなり、芝生の成長が全般的に不良となるという問題点があった。
【発明の開示】
【発明が解決しようとする課題】
【０００５】
本発明は、上記問題点に鑑みなされたものであり、排水が円滑に行われ、芝生の根が所定の面積に対して土壌に着根するようにし、芝生が成長する用土層の流失を減らし、土壌の栄養分が芝生に供給できるようにして、芝生の成長を促しながらも根組織の形成に優れたカーペット型の芝生栽培用フィルムを提供することを目的とする。
【課題を解決するための手段】
【０００６】
上記の目的を達成するため、本発明によるカーペット型の芝生栽培用フィルムは、カーペット型の芝生栽培用フィルムにおいて、合成樹脂からなり、フィルム全体面積に対して２％乃至２０％の面積を占める複数の排水孔が互いに所定の間隔を置いて版面に穿孔されていることを特徴とする。
ここで、前記排水孔は、直径が５ｍｍ乃至１５ｍｍであることが好ましい。
また、前記排水孔は、中心間隔が互いに３０ｍｍ乃至４０ｍｍの離隔間隔を置いて設けられるのが効果的である。
【発明の効果】
【０００７】
本発明によれば、排水が円滑に行われ、用土層の流失が減少し、芝生の根が排水孔を通して地盤の土壌に着根し、土壌の栄養分が芝生に供給され、芝生の成長が効率よく行われるカーペット型の芝生栽培用フィルムが提供できる。
【発明を実施するための最良の形態】
【０００８】
以下、本発明の好ましい実施の形態を、添付図面に基づいて詳しく説明する。
図２は、本発明によるカーペット型の芝生栽培用フィルムの斜視図であり、図３は、図２のIII-III線に沿ったカーペット型の芝生栽培用フィルムの断面図である。これらの図に示すように、本発明によるカーペット型の芝生栽培用フィルム１は、合成樹脂からなり、フィルム１の版面に複数の排水孔１０が穿孔されている。
フィルム１の材料として、不透明な合成樹脂を使用するのが好ましいが、これは、太陽光が既存の土壌５に根付いた雑草などに伝達されないようにして、雑草などの生長を根本的に抑制するためである。このとき、不透明な合成樹脂としては、黒色合成樹脂を使用するのが光遮断効果及び経済的な面で好ましい。
【０００９】
一方、フィルム１に設けられる複数の排水孔１０は、その面積の和がフィルム１の全体面積に対して２％乃至２０％を占める大きさで形成されるのが好ましい。このとき、排水孔１０の直径は、５ｍｍ乃至１５ｍｍとし、各排水孔１０の中心間の距離は３０ｍｍ乃至４０ｍｍとして、フィルム１の全体面積に対して複数の排水孔１０の占める面積が２％乃至２０％となるようにする。このような排水孔１０の大きさ及び間隔とフィルム１の全体面積に対する割り当て面積は、用水供給及び雨天の際に排水孔１０を通して排水が円滑に行われ、芝生(図６の７)の根の中の一部が、排水孔１０を通して既存の土壌５に着根するにあたり、芝生７の根が既存の土壌５で互いに絡まない寸法である。
ここで、排水孔１０の形成方法として、排水孔１０の直径及び間隔に対応する複数の穿孔ピンを有する穿孔器を用いてフィルム１の版面をパンチングし、排水孔１０を設けたり、排水孔１０の直径及び間隔に対応する複数の穿孔ピンを有する穿孔ロールにフィルム１を巻き取る方法でフィルム１の版面に複数の排水孔１０を設けたりしても良い。
【００１０】
図４乃至図７は、図２及び図３のカーペット型の芝生栽培用フィルムの使用状態図である。これらの図に示すように、本発明による芝生栽培用フィルム１を用いてカーペット型の芝生７を栽培するときには、先ず、全体面積に対して２％乃至２０％の排水孔１０が穿孔されているフィルム１を平坦な地面に、図４に示すように、一直線上に敷き、フィルム１の上部面に用土３と芝生の種及び肥料とを混合し、図５に示すように、均一に広げて撒布した後、所定の期間の間、適当な周期で用水を供給しながら芝生７の成長を管理すると、図６に示すように、芝生７が成長することになる。
芝生７の成長過程の中で過度の用水供給や豪雨などの雨天のときは、比較的大きい排水孔１０により排水が円滑に行われる。よって、用土層３の流失が大幅に減少する。
【００１１】
一方、生育している芝生７の根は、フィルム１の上部面に敷かれた用土層３の下部で互いに絡まることにより、芝生の一片の芝生組織を強化させ、芝生７の一部根は、排水孔１０を通して既存の土壌５に着根し、既存の土壌５の水分や栄養分を吸収することになる。このとき、既存の土壌５に着根する芝生７の根は、排水孔１０を通して下部に自然に着根をする。従って、用水供給や肥料供給が不足しても、芝生７が既存の土壌５の水分と栄養分とを吸収することにより、容易に枯れず、生育が良好に行われる。
このような過程を経て栽培されたカーペット型の芝生７を収穫するときには、一片の芝生収穫機を用いて着根した根を切断しながらフィルム１の下部面を、図７に示すように、土壌５から分離することにより、カーペット型の芝生７を収穫する。このとき、土壌５に着根した芝生７の根は、芝生７の根の中の一部のみが互いの絡まり無しに着根しており、土壌５から容易に切断、分離される。
【００１２】
一方、図８及び図９は、本発明によるカーペット型の芝生栽培用フィルム１及びこれを用いて栽培されたカーペット型の芝生と、従来のカーペット型の芝生栽培用フィルム１０１及びこれを用いて栽培されたカーペット型の芝生との実物比較写真である（各写真の左方が従来のカーペット型の芝生栽培用フィルム１０１及びこれを用いて栽培された芝生であり、各写真の右方が本発明によるカーペット型の芝生栽培用フィルム１及びこれを用いて栽培された芝生である）。
これらの写真で見られるように、従来のカーペット型の芝生栽培用フィルム１０１と本発明によるカーペット型の芝生栽培用フィルム１とに芝生を栽培してみた。
【００１３】
栽培条件としては、従来のカーペット型の芝生栽培用フィルム１０１には、排水孔１１０を直径１ｍｍで穿孔し、本発明によるカーペット型の芝生栽培用フィルム１には、排水孔１０を直径１０ｍｍで穿孔した。そして、各排水孔１１０、１０の間隔は、両フィルム１０１、１とも４ｍｍとしており、同じ芝生の種や用土３及び肥料を使用し、同じ周期及び量の用水を供給した。
播種後６０日が経過した後、両フィルム１０１、１で生育した芝生の部分的な標本を採取し、その状態を比較してみた。
【００１４】
写真で見られるように、従来のカーペット型の芝生栽培用フィルム１０１で栽培された芝生は、葉の生長の長さが５〜１０ｃｍであり、芝生の根は、排水孔１１０を通過できず、フィルム１０１の上部面で水平に発達して互いに絡まっていることが確認できる。
そして、本発明によるカーペット型の芝生栽培用フィルム１で栽培された芝生は、葉の生長の長さが８〜１５ｃｍであり、芝生の根のうち、排水孔１０に対応する領域の根が排水孔１０を通して５〜１０ｃｍの長さで元の地盤土壌５に下ろしており、フィルム１の部分の根は、フィルム１の上部面で水平に発達して互いに絡まっていることが確認できる。
一方、播種後９０日が経過した後、両フィルム１０１、１で生育した芝生を所定の面積の一片の芝生として採取し、芝生層及び用土層３の芝生の引張強度を試験してみた。
従来のカーペット型の芝生栽培用フィルム１０１で栽培された芝生は、フィルム１０１の上部面で根が水平に発達して互いに絡まっているものであり、引張強度は、約６８ｋｇ/ｍ２であることが確認できた。
そして、本発明によるカーペット型の芝生栽培用フィルム１で栽培された芝生は、芝生の根のうち、排水孔１０を通して元の地盤土壌５に下ろしている根は、一片の芝生の採取過程で切断され、フィルム１の部分の根は、フィルム１の上部面で水平に発達して互いに絡まっているものであり、引張強度は、約６３．５ｋｇ/ｍ２であることが確認できた。
【００１５】
ここで、本発明によるカーペット型の芝生栽培用フィルム１で栽培された芝生の引張強度が少し弱いものの、カーペット型の芝生の引張強度基準が３０ｋｇ/ｍ２であることを勘案すれば、問題とならない程度の強度低下であり、取り扱いの上で全く問題とならない。
このように、フィルムの全体面積に対して２％乃至２０％の面積を占める比較的大きい直径の排水孔が互いに所定の間隔を置いて版面に複数穿孔されているカーペット型の芝生栽培用フィルムを設けることにより、芝生の成長過程の中で過度の用水供給や豪雨などの雨天のときは、比較的大きい排水孔により排水が円滑に行われ、用土層の流失を防止することができる。
そして、成長する芝生の一部の根が排水孔を通して既存の土壌に着根し、既存の土壌の水分や栄養分を吸収することにより、用水供給や肥料供給が不足しても芝生が容易に枯れず、成長が円滑に行われる。
また、芝生を収穫するときは、土壌に着根した芝生の根は、排水孔間の距離により互いの絡まり無しに土壌に着根しているが、芝生収穫機により土壌から容易に分離できる。
【００１６】
前述及び実施例では、本発明による栽培用フィルムの用途を芝生栽培用として説明しているが、本発明の技術的思想によれば、芝生だけでなく、野生化を含む各種の地被植物さらには草本植物をカーペット型で栽培するときにも本発明による栽培用フィルムを用いることができる。
【図面の簡単な説明】
【００１７】
【図１】従来のカーペット型の芝生栽培用フィルムの斜視図である。
【図２】本発明によるカーペット型の芝生栽培用フィルムの斜視図である。
【図３】図２のIII-III線に沿ったカーペット型の芝生栽培用フィルムの断面図である。
【図４】図１及び図２の芝生栽培用フィルムの使用状態図である。
【図５】図１及び図２の芝生栽培用フィルムの使用状態図である。
【図６】図１及び図２の芝生栽培用フィルムの使用状態図である。
【図７】図１及び図２の芝生栽培用フィルムの使用状態図である。
【図８】本発明によるカーペット型の芝生栽培用フィルム及びこれを用いて栽培されたカーペット型の芝生と、従来のカーペット型の芝生栽培用フィルム及びこれを用いて栽培されたカーペット型の芝生の実物比較写真である。
【図９】本発明によるカーペット型の芝生栽培用フィルム及びこれを用いて栽培されたカーペット型の芝生と、従来のカーペット型の芝生栽培用フィルム及びこれを用いて栽培されたカーペット型の芝生の実物比較写真である。
【符号の説明】
【００１８】
１，１０１    芝生栽培用フィルム
３            用土層
５            土壌
７            芝生
１０，１１０  排水孔
【図１】
2006503593.tif 000003
【図２】
2006503593.tif 000004
【図３】
2006503593.tif 000005
【図４】
2006503593.tif 000006
【図５】
2006503593.tif 000007
【図６】
2006503593.tif 000008
【図７】
2006503593.tif 000009
【図８】
2006503593.tif 000010
【図９】
2006503593.tif 000011
【国際調査報告】
2006503593.tif 000012
2006503593.tif 000013